(57)【特許請求の範囲】
【請求項１】
複数の映像信号に所定の処理を行って所定の外部表示装置に出力する映像信号処理装置であって、
前記複数の映像信号が入力され、複数の前記映像信号に前記所定の処理を行う入力部と、
前記入力部にて処理された複数の前記映像信号を前記所定の外部表示装置に出力する出力部と、
前記入力部から出力される複数の前記映像信号を前記出力部に自在に入力切り替え可能な第１マトリクススイッチ装置と、
を備え、
前記入力部は複数の映像入力ボードを備え、
前記映像入力ボードの各々は、前記映像信号に前記所定の処理を行う複数の映像信号処理部を備え、
前記出力部に入力されない前記映像信号が入力される前記映像信号処理部の電源が切られ、
前記入力部の前段に設けられ、前記複数の映像信号を前記入力部に自在に入力切り替え可能な第２マトリクススイッチ装置をさらに備え、
前記出力部に入力される前記映像信号が１つも入力されない前記映像入力ボードの個数が最大となるように、前記第２マトリクススイッチ装置が切り替えられることを特徴とする、
映像信号処理装置。
【請求項２】
前記出力部に入力される前記映像信号が１つも入力されない前記映像入力ボードの電源が切られることを特徴とする、
請求項１に記載の映像信号処理装置。
【発明の詳細な説明】
【技術分野】
【０００１】
本発明は映像信号処理装置に関し、特に複数の映像信号の処理を行って所定の外部表示装置に出力する映像信号処理装置に関する。
【背景技術】
【０００２】
電力、交通などのインフラ分野の映像表示装置においては、たくさんの監視カメラの映像を表示する必要があり、１つまたは複数の画面上に同時に複数の映像を表示するために、複数の映像を任意の大きさ、位置、優先度で表示する映像信号処理装置が用いられている（例えば、特許文献１参照）。
【０００３】
このような映像信号処理装置には、多くの監視カメラからのソース映像信号を接続するために、非常に多くの映像入力チャンネルが設けられ、入力されたソース映像信号から所望の１つまたは複数の映像信号を選択して、映像表示装置に出力するのが一般的である。
【０００４】
また、近年では、１９２０×１２００ピクセルや１９２０×１０８０ピクセルに代表される高解像度の映像が表示可能な映像表示装置が一般的となっている。対して、表示する映像信号には、様々な解像度（例えば、６４０×４８０ピクセルや１０２４×７６８ピクセル等）が存在しており、さらに、ＤＶＤプレーヤー等から出力されるビデオ信号なども存在する。
【０００５】
従って、高解像度の映像を表示可能な映像表示装置に表示するため、映像信号に所定の処理を行う、映像信号処理装置に備わる映像信号処理回路は、大規模でかつ非常に高速に動作することが要求される。映像信号処理回路を構成するＡＤコンバータやフレームメモリ、これらを制御する制御デバイスは、高速化に伴い、より発熱することが一般的に知られている。これらの各デバイスが発熱することにより、各デバイスが実装されるプリント基板およびその基板を備える映像処理装置の温度が上昇し、規定された動作温度を超えると、各デバイスが誤動作や熱による性能劣化を起こし、最悪の場合には装置自体が故障するなどの事態が想定される。よって、ファン等の冷却手段により、装置内の温度を適切に管理することが必要とされている（例えば、特許文献２参照）。
【先行技術文献】
【特許文献】
【０００６】
【特許文献１】特開２００１−２９６８５６号公報
【特許文献２】特開２００９−２８８６８９号公報
【発明の概要】
【発明が解決しようとする課題】
【０００７】
上述した従来の映像表示システムにおいては、映像表示装置の表示領域の大きさの制限等の理由から、全ての映像信号を同時に表示することは少なく、多くの映像信号の中から、オペレーターが所望の１つまたは複数の映像を選択して映像表示装置に表示するのが一般的である。
【０００８】
このとき、映像信号処理装置に入力される複数の映像信号のうち、実際に映像表示装置に出力されるのは、オペレーターにより選択された一部の映像信号のみであるにもかかわらず、入力されるすべての映像信号に対して所定の処理が行われていた。
【０００９】
従って、出力されない不要な映像信号に対しても処理が行われていたため、無駄な電力が消費されていた。
【００１０】
本発明は以上のような課題を解決するためになされたものであり、不要な映像信号の処理を行う回路を停止することにより消費電力を削減した映像信号処理装置の提供を目的とする。
【課題を解決するための手段】
【００１１】
本発明に係る映像信号処理装置は、複数の映像信号に所定の処理を行って所定の外部表示装置に出力する映像信号処理装置であって、複数の映像信号が入力され、複数の映像信号に前記所定の処理を行う入力部と、入力部にて処理された複数の映像信号を所定の外部表示装置に出力する出力部と、入力部から出力される複数の映像信号を出力部に自在に入力切り替え可能な第１マトリクススイッチ装置とを備え、入力部は複数の映像入力ボードを備え、映像入力ボードの各々は、映像信号に所定の処理を行う複数の映像信号処理部を備え、出力部に入力されない映像信号が入力される映像信号処理部の電源が切られ、入力部の前段に設けられ、複数の映像信号を入力部に自在に入力切り替え可能な第２マトリクススイッチ装置をさらに備え、出力部に入力される映像信号が１つも入力されない映像入力ボードの個数が最大となるように、第２マトリクススイッチ装置が切り替えられることを特徴とする。
【発明の効果】
【００１２】
本発明に係る映像信号処理装置は、外部表示装置に出力されない映像信号を処理する映像信号処理部の電源を切ることで、消費電力を削減することが可能である。また、当該映像信号処理部の電源を切ることで、映像信号処理装置全体の発熱が低下し、また、電力を供給する電源部の負担も小さくなるため、映像信号処理装置全体の長期使用に対する耐久性が向上する。
【図面の簡単な説明】
【００１３】
【図１】実施の形態１に係る映像信号処理装置のブロック図である。
【図２】実施の形態１に係る入力部のブロック図である。
【図３】実施の形態１に係る映像信号処理装置の構成の一例を示す図である。
【図４】実施の形態１に係る映像信号処理装置の映像信号出力の第１の例を示す図である。
【図５】実施の形態１に係る映像信号処理装置の図４に対応する動作状態を表す図である。
【図６】実施の形態１に係る映像信号処理装置の映像信号出力の第２の例を示す図である。
【図７】実施の形態１に係る映像信号処理装置の図６に対応する動作状態を表す図である。
【図８】実施の形態２に係る映像信号処理装置のブロック図である。
【図９】実施の形態２に係る映像信号処理装置の構成の一例を示す図である。
【図１０】実施の形態２に係る映像信号処理装置の動作状態を表す図である。
【発明を実施するための形態】
【００１４】
＜実施の形態１＞
＜構成＞
図１に、本実施の形態に係る映像信号処理装置１００のブロック図を示す。映像信号処理装置１００は、複数の映像信号が入力され、所定の処理を行う入力部１と、所定の処理が行われた１つまたは複数の映像信号を所定の外部表示装置に出力する出力部２と、入力部１から出力される映像信号を出力部２に自在に入力切り替え可能な第１マトリクススイッチ装置３を備える。
【００１５】
また、入力部１、出力部２および第１マトリクススイッチ装置３は、第１マイコン部４により制御されている。第１マイコン部４は、映像信号処理装置１００外部の外部制御手段６により制御される。オペレーターは、外部制御手段６を介して、映像信号処理装置１００に入力される複数の映像信号の中から、外部表示装置に表示する１つまたは複数の映像を選択する。
【００１６】
入力部１は、ｎ個（ｎは１以上の整数）の映像入力ボード（即ち第１〜第ｎ映像入力ボード１１…１ｎ）を装着可能であり、各映像入力ボードは、４系統の映像信号を入力可能である。
【００１７】
出力部２は、ｍ個（ｍは１以上の整数）の映像出力ボード（即ち第１〜第ｍ映像出力ボード２１…２ｍ）を装着可能であり、各映像出力ボードは、４系統の映像信号を出力可能である。
【００１８】
第１マトリクススイッチ装置３は、入力部１の系統数（即ちチャンネル数）と出力部２の系統数に対応して、４ｎ×４ｍのマトリクスとなっている。
【００１９】
また、入力部１、出力部２および第１マトリクススイッチ装置３には、第１電源部５から電力が供給されている。また、第１マイコン部４は、第１電源部５を介して、各映像入力ボードの電源の入切を制御可能である。
【００２０】
図２に、第１映像入力ボード１１の構成を示す。なお、各映像入力ボードの構成は同じとする。第１映像入力ボード１１は、４個の映像信号処理部１１ａ，１１ｂ，１１ｃ，１１ｄを備え、各映像信号処理部が、１つの系統の映像信号に対して所定の処理を行う。ここで、所定の処理とは、例えば、アナログ−デジタル変換、水平・垂直周波数のタイミング変換（フレームレート変換）、画像サイズ変換等である。
【００２１】
また、各映像信号処理部１１ａ，１１ｂ，１１ｃ，１１ｄは、第２マイコン部７を介して、第１マイコン部４に制御される。また、各映像信号処理部１１ａ，１１ｂ，１１ｃ，１１ｄには、第２電源部８を介して、第１電源部５から電力が供給される。なお、第２マイコン部７は、第２電源部８を通して、各映像信号処理部１１ａ，１１ｂ，１１ｃ，１１ｄの電源の入切を制御する。
【００２２】
図３に、本実施の形態に係る映像信号処理装置１００の一例を示す。図３に示す映像信号処理装置１００において、入力部１は第１映像入力ボード１１および第２映像入力ボード１２を備え、出力部２は第１映像出力ボード２１および第２映像出力ボード２２を備える。第１映像入力ボード１１、第２映像入力ボードは、映像信号処理部１１ａ，１１ｂ，１１ｃ，１１ｄ、映像信号処理部１２ａ，１２ｂ，１２ｃ，１２ｄをそれぞれ備える。また、入力部１、出力部２ともに８系統であるので、第１マトリクススイッチ装置３のマトリクスは８×８の構成となる。以下では、図３に基づいて、映像信号処理装置１００の動作を説明する。
【００２３】
＜動作＞
映像信号処理装置１００には、映像信号として、映像Ａ，Ｂ，Ｃ，Ｄ，Ｅ，Ｆ，Ｇ，Ｈが入力されているとする。オペレーターが、外部制御手段６を介して、映像Ａ〜Ｈの中から外部表示装置に表示させたい１つまたは複数の映像を選択すると、第１マイコン部４は、オペレーターが選択した映像が外部表示装置に出力されるように、第１マトリクススイッチ装置３の切り替えを行う。
【００２４】
例えば、図４に示すように、外部表示装置として第１〜８の表示装置が２段４列に配置されているとする。図４において、第１、第２、第５、第６の表示装置を組み合わせて構成される大画面全体には、映像Ａが表示されている。また、第３の表示装置には映像Ｂが、第４の表示装置には映像Ｃが、第７の表示装置には映像Ｆが、第８の表示装置には映像Ａがそれぞれ表示されている。即ち、オペレーターにより、映像Ａ，Ｂ，Ｃ，Ｆが選択され、映像Ｄ，Ｅ，Ｇ，Ｈは選択されていない状態である。
【００２５】
図４に示すように映像信号が出力されている場合の映像信号処理装置１００の動作状態を、図５を用いて説明する。なお、図５において、第１マイコン部４、第１電源部５および外部制御手段６は図の見易さのために省略されている。
【００２６】
本実施の形態の映像信号処理装置１００において、第１マイコン部４は、出力部２に入力されない映像信号が入力されている映像信号処理部の電源を切るようにプログラムされている。図４で説明したように、映像Ｄ，Ｅ，Ｇ，Ｈの映像信号は出力部２に入力されていない。図５によると、これら映像Ｄ，Ｅ，Ｇ，Ｈの映像信号は、映像信号処理部１１ｄ，１２ａ，１２ｃ，１２ｄにそれぞれ入力されている。よって、第１マイコン部４は、映像信号処理部１１ｄ，１２ａ，１２ｃ，１２ｄに供給する電源の遮断を行う。電源を遮断された映像信号処理部１１ｄ，１２ａ，１２ｃ，１２ｄは、映像信号の処理動作を停止する。このように、外部表示装置に出力されない映像信号を処理する映像信号処理部の電源を切ることで、消費電力を削減することが可能である。
【００２７】
次に、図６に、図４とは別の映像信号の出力例を示す。図６において、第２、第３、第６、第７の表示装置を組み合わせて構成される大画面には、映像Ａが表示されている。また、第１の表示装置には映像Ａが、第４の表示装置には映像Ｂが、第５の表示装置には映像Ｃが、第８の表示装置には映像Ｄがそれぞれ表示されている。即ち、オペレーターにより、映像Ａ，Ｂ，Ｃ，Ｄが選択され、映像Ｅ，Ｆ，Ｇ，Ｈは選択されていない状態である。
【００２８】
図６に示すように映像信号が出力されている場合の映像信号処理装置１００の動作状態を、図７を用いて説明する。なお、図７において、第１マイコン部４、第１電源部５および外部制御手段６は図の見易さのために省略されている。
【００２９】
図６のように映像信号が出力されているとき、図７に示すように、第１映像入力ボード１１の映像信号処理部１１ａ，１１ｂ，１１ｃ，１１ｄにて処理される映像信号（映像Ａ，Ｂ，Ｃ，Ｄ）は出力部２に入力されている。
【００３０】
一方、第２映像入力ボード１２の映像信号処理部１２ａ，１２ｂ，１２ｃ，１２ｄにて処理される映像信号（映像Ｅ，Ｆ，Ｇ，Ｈ）は出力部２に入力されていない。この場合、第１マイコン部４は、第２映像入力ボード１２に供給する電源を遮断する。即ち、第１マイコン部４は、出力部２に入力されない映像信号のみが入力される映像入力ボードの電源を切るようにプログラムされている。
【００３１】
このように、出力部２に入力されない映像信号のみが入力されている映像入力ボードが存在する場合は、この映像入力ボードに備わる映像信号処理部の電源を個々に切るよりも、映像入力ボード自体の電源を切ったほうがより多くの回路を停止できるため、より効果的に消費電力を削減することが可能である。
【００３２】
また、不要な信号を処理する映像信号処理部や映像入力ボードの電源を切ることで、第１電源部５および第２電源部８の負担が小さくなるため、映像信号処理装置１００全体の長期使用に対する耐久性が向上する。また、消費電力を削減することにより、装置内の発熱を低減することができるため、熱による装置内の回路の性能劣化を軽減して、耐久性を向上させることができる。また、装置内の発熱の低減に伴って、装置内の冷却を行う冷却ファンの回転を下げたり、一部の冷却ファンを停止させるなどの制御を合わせて行うことにより、さらに消費電力を削減することが可能である。
【００３３】
＜効果＞
本実施の形態における映像信号処理装置１００は、複数の映像信号に所定の処理を行って所定の外部表示装置に出力する映像信号処理装置であって、複数の映像信号が入力され、複数の当該映像信号に所定の処理を行う入力部１と、入力部１にて処理された複数の映像信号を所定の外部表示装置に出力する出力部２と、入力部１から出力される複数の映像信号を出力部２に自在に入力切り替え可能な第１マトリクススイッチ装置３とを備え、入力部１は複数の映像入力ボード（第１〜第ｎ映像入力ボード１１…１ｎ）を備え、映像入力ボードの各々は、映像信号に所定の処理を行う複数の映像信号処理部を備え、出力部２に入力されない映像信号が入力される映像信号処理部の電源を切ることを特徴とする。
【００３４】
従って、外部表示装置に出力されない映像信号を処理する映像信号処理部の電源を切ることで、消費電力を削減することが可能である。また、当該映像信号処理部の電源を切ることで、第１電源部５および第２電源部８の負担が小さくなるため、映像信号処理装置１００全体の長期使用に対する耐久性が向上する。また、消費電力を削減することにより、装置内の温度が下がり、装置内の回路の熱による性能劣化が低減され、長期使用に対する耐久性が向上する。
【００３５】
また、本実施の形態における映像信号処理装置１００は、出力部２に入力されない映像信号のみが入力される映像入力ボードの電源を切ることを特徴とする。
【００３６】
従って、外部表示装置に出力されない映像信号のみを処理する映像入力ボードの電源を切ることで、映像入力ボード全体を停止させて、より、消費電力を削減することが可能である。また、第１電源部５および第２電源部８の負担がより小さくなるため、映像信号処理装置１００全体の長期使用に対する耐久性がより向上する。また、消費電力をより削減できるため、装置内の温度が下がり、装置内の回路の熱による性能劣化がより低減され、長期使用に対する耐久性が向上する。
【００３７】
＜実施の形態２＞
＜構成＞
図８に、本実施の形態における映像信号処理装置の構成を示す。本実施の形態における映像信号処理装置は、実施の形態１の映像信号処理装置１００（図１）の前段に、第２マトリクススイッチ装置９をさらに備える。
【００３８】
第２マトリクススイッチ装置９には、複数の映像信号が入力され、これら複数の映像信号は自在に切り替えられて、入力部１に入力される。また、第２マトリクススイッチ装置は、外部制御手段６により制御される。その他の構成は実施の形態１（図１）と同じであるので、説明を省略する。
【００３９】
図９に、本実施の形態における映像信号処理装置の一例を示す。図９に示す映像信号処理装置は、図３と同じく、入力部１に第１映像入力ボード１１および第２映像入力ボード１２を備え、出力部２に第１映像出力ボード２１および第２映像出力ボード２２を備える。実施の形態１と同様に、各映像入力ボードおよび各映像出力ボードのチャンネル数を４系統とすると、入力部１のチャンネル数８、出力部２のチャンネル数８であるので、第１マトリクススイッチ装置３および第２マトリクススイッチ装置９のマトリクスは、８×８の構成となる。以下では、図９に基づいて、本実施の形態における映像信号処理装置の動作を説明する。
【００４０】
＜動作＞
本実施の形態において、外部制御手段６は、出力部２に入力されない映像信号のみが入力される映像入力ボードの個数が最大となるように、第２マトリクススイッチ装置９を切り替える。
【００４１】
例えば、図４に示すように外部表示装置に映像が出力されている場合を考える。図４によると、映像Ａ，Ｂ，Ｃ，Ｆが外部表示装置に表示されている。即ち、オペレーターにより映像Ａ，Ｂ，Ｃ，Ｆが選択され、映像Ｄ，Ｅ，Ｇ，Ｈは非選択である。
【００４２】
このような場合、映像信号処理装置は、図１０のような状態に制御される。即ち、外部制御手段６は、オペレーターにより選択された映像Ａ，Ｂ，Ｃ，Ｆの映像信号を、第１映像入力ボード１１に優先的に入力するように第２マトリクススイッチ装置９を切り替える。すると、第２映像入力ボード１２には、映像信号が何も入力されない、もしくは、非選択の映像信号（映像Ｄ，Ｅ，Ｇ，Ｈ）が入力された状態となる。この状態において、第１マイコン部４は、第２映像入力ボード１２の電源の遮断を行い、第２映像入力ボード１２は動作を停止する。なお、図１０において、第１マイコン部４、第１電源部５および外部制御手段６は図の見易さのために省略されている。
【００４３】
このように、出力部２に入力される映像信号が１つも入力されない映像入力ボードの個数が最大となるように、第２マトリクススイッチ装置９の切り替えが制御される。出力部２に入力される映像信号が１つも入力されない映像入力ボードの個数を最大化する方法としては、例えば、上述のように、オペレーターに選択された映像信号（即ち、出力部に入力される映像信号）を、第１映像入力ボード１１に優先的に入力し、第１映像入力ボード１１の全てのチャンネルが埋まると、次に、第２映像入力ボード１２に優先的に入力するといった様に、第１映像入力ボード１１から順に選択された映像信号を割り当てる方法が考えられる。
【００４４】
本実施の形態における映像信号処理装置は、入力部１の前段に設けられ、複数の映像信号を入力部１に自在に入力切り替え可能な第２マトリクススイッチ装置９をさらに備え、出力部２に入力される映像信号が１つも入力されない映像入力ボードの個数が最大となるように、第２マトリクススイッチ装置９を切り替えることを特徴とする。
【００４５】
従って、入力部１の前段に第２マトリクススイッチ装置９を備えることで、映像信号処理装置に入力される複数の映像信号を、入力部１に自在に入力切り替えが可能となるため、出力部１に入力される映像信号が１つも入力されない映像入力ボードの個数を最大化することができる。よって、実施の形態１と比較して、より多くの映像入力ボードの電源を切ることが可能であり、さらなる消費電力の削減効果が期待される。また、第１電源部５および第２電源部８の負担がさらに小さくなるため、映像信号処理装置全体の長期使用に対する耐久性がさらに向上する。また、消費電力をさらに削減できるため、装置内の温度がさらに下がり、装置内の回路の熱による性能劣化がさらに低減されて、長期使用に対する耐久性が向上する。
【００４６】
なお、本発明は、その発明の範囲内において、各実施の形態を自由に組み合わせたり、各実施の形態を適宜、変形、省略することが可能である。
【符号の説明】
【００４７】
１  入力部、２  出力部、３  第１マトリクススイッチ装置、４  第１マイコン部、５  第１電源部、６  外部制御手段、７  第２マイコン部、８  第２電源部、９  第２マトリクススイッチ装置、１１  第１映像入力ボード、１２  第２映像入力ボード、１ｎ  第ｎ映像入力ボード、２１  第１映像出力ボード、２２  第２映像出力ボード、２ｍ  第ｍ映像出力ボード、１１ａ，１１ｂ，１１ｃ，１１ｄ，１２ａ，１２ｂ，１２ｃ，１２ｄ  映像信号処理部、１００  映像信号処理装置。
【図１】
0005933333.tif 000002
【図２】
0005933333.tif 000003
【図３】
0005933333.tif 000004
【図４】
0005933333.tif 000005
【図５】
0005933333.tif 000006
【図６】
0005933333.tif 000007
【図７】
0005933333.tif 000008
【図８】
0005933333.tif 000009
【図９】
0005933333.tif 000010
【図１０】
0005933333.tif 000011